【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
外部サーバに対してデバイス情報を送信するデバイス管理機能を有し、ＩＰ（Ｉｎｔｅｒｎｅｔ  Ｐｒｏｔｏｃｏｌ）通信に第１ネットワークインタフェース及び第２ネットワークインタフェースを使用するデバイスであって、
前記デバイス管理機能に関する第１設定として、前記デバイス情報の送信に使用すべきネットワークインタフェースを設定する第１の設定手段と、
前記デバイス管理機能に関する第２設定として、前記第２ネットワークインタフェースを介してデバイス情報を送信する場合に用いるアドレス情報を設定する第２の設定手段と、
前記第１の設定手段で設定されたネットワークインタフェースを介して前記デバイス情報を前記外部サーバに送信する送信制御手段と、
を有し、
前記第２ネットワークインタフェースを使用するデータ通信は、前記第１ネットワークインタフェースを使用するデータ通信と比較して制限が設けられており、
前記送信制御手段は、前記第１設定として、前記デバイス情報の送信に使用すべきネットワークインタフェースが前記第２ネットワークインタフェースであることを示す設定がなされている場合、前記第２設定として設定されている前記アドレス情報を少なくとも用いて、前記外部サーバに対する前記デバイス情報の送信を実行し、前記第１設定として、前記デバイス情報の送信に使用すべきネットワークインタフェースが前記第１ネットワークインタフェースであることを示す設定がなされている場合、前記第２設定として設定された前記アドレス情報を用いることなく前記外部サーバに対する前記デバイス情報の送信を実行することを特徴とするデバイス。
【請求項２】
前記第２の設定手段によって設定される前記アドレス情報は、ＩＰアドレス形式で示されるアドレス情報であることを特徴とする請求項１に記載のデバイス。
【請求項３】
名前解決に使用すべきＤＮＳ（Ｄｏｍａｉｎ  Ｎａｍｅ  Ｓｙｓｔｅｍ）サーバを設定する第３の設定手段を更に有し、
前記送信制御手段は、前記第１の設定手段によって前記デバイス情報の送信に使用すべきネットワークインタフェースが前記第１ネットワークインタフェースであることを示す設定がなされている場合、前記外部サーバのＦＱＤＮ（Ｆｕｌｌｙ  Ｑｕａｌｉｆｉｅｄ  Ｄｏｍａｉｎ  Ｎａｍｅ）を示す文字列情報を前記第３の設定手段で設定された前記ＤＮＳサーバで名前解決することで得られたＩＰアドレスを用いて前記外部サーバに前記デバイス情報の送信を実行することを特徴とする請求項２に記載のデバイス。
【請求項４】
前記デバイス管理機能に関連する第３設定として、前記第１ネットワークインタフェースを介して前記デバイス情報を送信する場合に用いる第２アドレス情報を設定する第４の設定手段と、を更に有し、
前記第４の設定手段で設定される前記第２アドレス情報は、ＦＱＤＮ形式の文字列情報又はＩＰアドレス形式の文字列情報であり、
前記送信制御手段は、前記第１設定として、前記デバイス情報の送信に使用すべきネットワークインタフェースが前記第１ネットワークインタフェースであることを示す設定がなされている場合であって、前記第２アドレス情報としてＩＰアドレス形式の文字列情報が設定されている場合、前記名前解決を行うことなく前記第２アドレス情報として設定されたＩＰドレス形式の文字列情報を用いて前記外部サーバに前記デバイス情報の送信を実行することを特徴とする請求項３に記載のデバイス。
【請求項５】
前記外部サーバに送信される前記デバイス情報は、デバイスで発生したエラー情報を含むことを特徴とする請求項１乃至４のいずれか１項に記載のデバイス。
【請求項６】
前記デバイスは印刷装置であり、前記外部サーバに送信される前記デバイス情報は、前記印刷装置のカウンタ情報を含むことを特徴とする請求項１乃至５のいずれか１項に記載のデバイス。
【請求項７】
前記第１設定及び前記第２設定の変更を受け付ける設定画面を表示する表示制御手段を更に備えることを特徴とする請求項１乃至６の何れか１項に記載のデバイス。
【請求項８】
外部サーバに対してデバイス情報を送信するデバイス管理機能を有し、ＩＰ（Ｉｎｔｅｒｎｅｔ  Ｐｒｏｔｏｃｏｌ）通信に第１ネットワークインタフェース及び第２ネットワークインタフェースを使用するデバイスの制御方法であって、
前記デバイス管理機能に関する第１設定として、前記デバイス情報の送信に使用すべきネットワークインタフェースを設定する第１の設定工程と、
前記デバイス管理機能に関する第２設定として、前記第２ネットワークインタフェースを介してデバイス情報を送信する場合に用いるアドレス情報を設定する第２の設定工程と、
前記第１の設定工程で設定されたネットワークインタフェースを介して前記デバイス情報を前記外部サーバに送信する送信制御工程と、
を有し、
前記第２ネットワークインタフェースを使用するデータ通信は、前記第１ネットワークインタフェースを使用するデータ通信と比較して制限が設けられており、
前記送信制御工程では、前記第１設定として、前記デバイス情報の送信に使用すべきネットワークインタフェースが前記第２ネットワークインタフェースであることを示す設定がなされている場合、前記第２設定として設定されている前記アドレス情報を少なくとも用いて、前記外部サーバに対する前記デバイス情報の送信を実行し、前記第１設定として、前記デバイス情報の送信に使用すべきネットワークインタフェースが前記第１ネットワークインタフェースであることを示す設定がなされている場合、前記第２設定として設定された前記アドレス情報を用いることなく前記外部サーバに対する前記デバイス情報の送信を実行することを特徴とするデバイスの制御方法。
【請求項９】
請求項８に記載のデバイスの制御方法をコンピュータに実行させるためのプログラム。
【手続補正２】
【補正対象書類名】明細書
【補正対象項目名】発明の名称
【補正方法】変更
【補正の内容】
【発明の名称】デバイス、その制御方法、及びプログラム
【手続補正３】
【補正対象書類名】明細書
【補正対象項目名】０００１
【補正方法】変更
【補正の内容】
【０００１】
本発明は、複数のネットワークインタフェースを備え、同時に複数のネットワークに接続可能なデバイス、その制御方法、及びプログラムに関する。
【手続補正４】
【補正対象書類名】明細書
【補正対象項目名】０００７
【補正方法】変更
【補正の内容】
【０００７】
本発明は、例えば、外部サーバに対してデバイス情報を送信するデバイス管理機能を有し、ＩＰ（Ｉｎｔｅｒｎｅｔ  Ｐｒｏｔｏｃｏｌ）通信に第１ネットワークインタフェース及び第２ネットワークインタフェースを使用するデバイスであって、前記デバイス管理機能に関する第１設定として、前記デバイス情報の送信に使用すべきネットワークインタフェースを設定する第１の設定手段と、前記デバイス管理機能に関する第２設定として、前記第２ネットワークインタフェースを介してデバイス情報を送信する場合に用いるアドレス情報を設定する第２の設定手段と、前記第１の設定手段で設定されたネットワークインタフェースを介して前記デバイス情報を前記外部サーバに送信する送信制御手段と、を有し、前記第２ネットワークインタフェースを使用するデータ通信は、前記第１ネットワークインタフェースを使用するデータ通信と比較して制限が設けられており、前記送信制御手段は、前記第１設定として、前記デバイス情報の送信に使用すべきネットワークインタフェースが前記第２ネットワークインタフェースであることを示す設定がなされている場合、前記第２設定として設定されている前記アドレス情報を少なくとも用いて、前記外部サーバに対する前記デバイス情報の送信を実行し、前記第１設定として、前記デバイス情報の送信に使用すべきネットワークインタフェースが前記第１ネットワークインタフェースであることを示す設定がなされている場合、前記第２設定として設定された前記アドレス情報を用いることなく前記外部サーバに対する前記デバイス情報の送信を実行することを特徴とする。